(57)【要約】【課題】超電導コイルの巻取り作用を行う巻取り軸に対する巻枠の着脱を容易に行うことができると共に、上記巻枠に対する超電導コイルの先端部の接続を容易に行うことができる超電導コイル巻枠固定装置を提供する。【解決手段】超電導コイルの巻枠を固定する超電導コイル巻枠固定装置であって、超電導コイル２７Ａ，２７Ｂの巻取り作用を行う巻取り軸３に、超電導コイル巻枠７の内周面を放射外方向へ押圧自在な巻枠固定部材９の複数の分割片９Ａを、前記巻取り軸３に対して径方向へ往復可能に備え、複数の前記分割片９Ａを径方向へ移動するための固定部材移動手段１５を前記巻取り軸３に備えている。前記固定部材移動手段１５は、複数の前記分割片９Ａの内面にテーパ面１７を備え、このテーパ面１７と対応したテーパ面１９を備えたテーパ部材２１を、前記巻取り軸３に軸方向へ移動可能に備えている。【選択図】図１
2012015179.tif 000002
【特許請求の範囲】
【請求項１】
超電導コイルの巻枠を固定する超電導コイル巻枠固定装置であって、超電導コイルの巻取り作用を行う巻取り軸に、超電導コイル巻枠の内周面を放射外方向へ押圧自在な巻枠固定部材の複数の分割片を、前記巻取り軸に対して径方向へ往復可能に備え、複数の前記分割片を径方向へ移動するための固定部材移動手段を前記巻取り軸に備えていることを特徴とする超電導コイル巻枠固定装置。
【請求項２】
請求項１に記載の超電導コイル巻枠固定装置において、前記固定部材移動手段は、複数の前記分割片の内面にテーパ面を備え、このテーパ面と対応したテーパ面を備えたテーパ部材を、前記巻取り軸に軸方向へ移動可能に備えていることを特徴とする超電導コイル巻枠固定装置。
【請求項３】
請求項１又は２に記載の超電導コイル巻枠固定装置において、前記巻取り軸に対する前記複数の分割片の軸方向の位置規制を行うためのフランジ部材を前記巻取り軸に備え、前記複数の巻枠固定部材によって固定される超電導コイル巻枠及び当該超電導コイル巻枠に巻取られる超電導コイルの軸方向の位置規制を行うための位置規制フランジを前記フランジ部材に備えていることを特徴とする超電導コイル巻枠固定装置。
【発明の詳細な説明】
【技術分野】
【０００１】
本発明は、超電導コイルを製造する際に、超電導コイルの巻枠を巻取り軸に固定するための超電導コイル巻枠固定装置に係り、さらに詳細には、巻枠に対する超電導コイルの接続作業を容易に行うことができ、かつ巻取り軸に対する巻枠の着脱を容易に行うことのできる超電導コイル巻枠固定装置に関する。
【背景技術】
【０００２】
超電導コイルは、中空状の巻枠に巻取ることによって製造されている（例えば特許文献１参照）。
【先行技術文献】
【特許文献】
【０００３】
【特許文献１】特開２００８−２４４２８４号公報
【発明の概要】
【発明が解決しようとする課題】
【０００４】
従来、超電導コイルを巻枠に巻取る場合、巻取り軸に巻枠を固定して巻取りを行うのであるが、前記巻取り軸に対する巻枠の固定は、巻取り軸に備えたフランジ部材に対して、板材によって前記巻枠を押し付ける構成であった。したがって、巻枠に超電導コイルを巻取るために、超電導コイルの先端部を接続する場合、接続作業のスペースは、巻枠の幅寸法のスペースしかなく、巻枠に対する超電導コイルの先端部の接続作業が困難であった。
【課題を解決するための手段】
【０００５】
本発明は、前述のごとき従来の問題に鑑みてなされたもので、超電導コイルの巻枠を固定する超電導コイル巻枠固定装置であって、超電導コイルの巻取り作用を行う巻取り軸に、超電導コイル巻枠の内周面を放射外方向へ押圧自在な巻枠固定部材の複数の分割片を、前記巻取り軸に対して径方向へ往復可能に備え、複数の前記分割片を径方向へ移動するための固定部材移動手段を前記巻取り軸に備えていることを特徴とするものである。
【０００６】
また、前記超電導コイル巻枠固定装置において、前記固定部材移動手段は、複数の前記分割片の内面にテーパ面を備え、このテーパ面と対応したテーパ面を備えたテーパ部材を、前記巻取り軸に軸方向へ移動可能に備えていることを特徴とするものである。
【０００７】
また、前記超電導コイル巻枠固定装置において、前記巻取り軸に対する前記複数の分割片の軸方向の位置規制を行うためのフランジ部材を前記巻取り軸に備え、前記複数の巻枠固定部材によって固定される超電導コイル巻枠及び当該超電導コイル巻枠に巻取られる超電導コイルの軸方向の位置規制を行うための位置規制フランジを前記フランジ部材に備えていることを特徴とするものである。
【発明の効果】
【０００８】
本発明によれば、複数の巻枠固定部材を放射外方向へ移動して、環状の巻枠の内周面を押圧して固定するものである。したがって、巻枠の径方向の外側は勿論のこと、巻枠の幅方向も開放されたスペースとなる。よって、巻枠の外周面に対して超電導コイルの先端部を接続する場合、接続作業を容易に行うことができるものである。
【図面の簡単な説明】
【０００９】
【図１】本発明の実施形態に係る巻枠固定装置の構成を概念的、概略的に示した説明図である。
【発明を実施するための形態】
【００１０】
図１を参照するに、本発明の実施形態に係る超電導コイル巻枠固定装置１は、モータ（図示省略）によって回転される巻取り軸３を備えており、この巻取り軸３の先端側には、キー、固定ねじなどの取付具を介してフランジ部材５が一体的に取付けてある。そして、このフランジ部材５における一側面すなわち前記巻取り軸３の先端側の側面には、リング状の巻枠７を着脱可能に固定する巻枠固定部材９が備えられている。
【００１１】
前記巻枠固定部材９は全体として中空円板状に構成してあり、かつ周方向に複数に分割してある。したがって、巻枠固定部材９を複数に分割した各分割片９Ａは円弧状に構成してある。そして、上記各分割片９Ａには径方向（放射方向）の長孔１１が設けられており、この長孔１１を貫通した取付ボルトなどのごとき固定具１３によって前記フランジ部材５の前記一側面に径方向へ移動可能に装着されている。なお、前記フランジ部材５に対して各分割片９Ａを放射方向へ移動可能に装着する構成としては、前記構成に限ることなく、前記フランジ部材５の一側面に放射方向のガイド部を備え、各分割片９Ａに、上記ガイド部に移動可能に係合した被ガイド部を備えた構成とすることも可能である。
【００１２】
既に理解されるように、巻枠固定部材９における各分割片９Ａは径方向に移動可能であるから、リング状の巻枠７を、前記巻枠固定部材９の外周面の外側に緩く嵌め合うように配置した後、巻枠固定部材９における各分割片９Ａを放射外方向へ移動することにより、巻枠７の内周面を外方向へ押圧して固定することができるものである。そこで、前記巻枠固定部材９における各分割片９Ａを径方向（外方向）へ移動するための固定部材移動手段１５が前記巻取り軸３に備えられている。
【００１３】
より詳細には、前記各分割片９Ａの内面にはテーパ面１７が備えられている。そして、前記巻取り軸３には、前記テーパ面１７と対応したテーパ面１９を備えたテーパ部材２１が前記巻取り軸３の軸方向（長手方向）へ移動可能に備えられている。そして、前記フランジ部材５には、前記テーパ部材２１を締付け固定するための固定ボルトなどのごとき複数の固定具２３がテーパ部材２１を軸心に平行に貫通して備えられている。
【００１４】
したがって、前記各固定具２３を締付けることによってテーパ部材２１をフランジ部材５方向へ移動することにより、当該テーパ部材２１のテーパ面１９及び各分割片９Ａにおけるテーパ面１７の作用によって各分割片９Ａを放射外方向へ移動することができる。よって、各分割片９Ａの外周面（外側面）でもって巻枠７の内周面を外方向（放射外方向）へ押圧して不動状態に固定することができるものである。逆に、前記各固定具２３の締付けを緩めることにより、各分割片９Ａによる巻枠７の押圧固定を解除することができ、巻枠固定部材９から巻枠７を容易に取り外すことができるものである。
【００１５】
また、前記フランジ部材５の前記一側面には、位置規制フランジ２５が一体的に備えられている。この位置規制フランジ２５は、前記巻枠７の軸方向（図１において左右方向）の位置規制を行うと共に、上記巻枠７に巻き取られる超電導コイル２７Ａの軸方向の位置規制を行う作用をなすものである。
【００１６】
以上のごとき構成において、巻枠固定部材９における各分割片９Ａによってリング状の巻枠７の内周面を外方向へ押圧して固定した状態においては、巻枠７の軸方向の位置、すなわち図１においての左方向の位置は、位置規制フランジ２５に当接して位置規制された状態にある。したがって、巻取り軸３に対する巻枠７の軸方向の位置は常に正確に位置決めされた状態にある。
【００１７】
前述のごとく、巻枠固定部材９によって巻枠７を固定した状態においては、図１に示すように、巻枠７における外周面の放射外方向（径方向）及び位置規制フランジ２５の反対側（図１において右側）は開放された空間である。したがって、超電導コイル２７Ａ，２７Ｂの先端部を並列して巻枠７の外周面に接続するとき、その接続作業を容易に行うことができ、前述したごとき従来の問題を解消し得るものである。
【００１８】
なお、本発明は前述したごとき実施形態に限ることなく、適宜の変更を行うことにより、その他の形態でもって実施可能である。すなわち、巻枠固定部材９における各分割片９Ａを放射外方向に移動する構成として、各分割片９Ａの内側に備えたテーパ面１７に、テーパ部材２１におけるテーパ面１９を押圧接合する構成について説明した。しかし、各分割片９Ａを外方向へ移動する構成としては、各分割片９Ａに対応する角部を備えた多角形部材（カム部材）を巻取り軸３に回動可能に備え、この多角形部材における各角部でもって各分割片９Ａを外方向へ押圧する構成とすることも可能である。
【００１９】
また、巻取り軸３に回動可能に備えた回動板又は各分割片９Ａの一方に螺旋溝を備え、他方に、上記螺旋溝に係合したピン又はローラを備えた構成として、回転板を回動することによって各分割片９Ａを径方向（放射方向）へ移動する構成とすることも可能である。すなわち、各分割片９Ａを径方向へ移動する構成としては種々の構成を採用可能なものである。
【符号の説明】
【００２０】
３    巻取り軸
５    フランジ部材
７    巻枠
９    巻枠固定部材
９Ａ    分割片
１５    固定部材移動手段
１７，１９    テーパ面
２１    テーパ部材
２５    位置規制フランジ
２７Ａ，２７Ｂ    超電導コイル
【図１】
2012015179.tif 000003